(57)【特許請求の範囲】
【請求項１】
水平部と垂直部を有する断面形状からなるフレーム部の少なくとも隣接する垂直部同士を一体的に連結して矩形枠状の内方が空間部からなる定着フレームを形成し、その定着フレームに対して複数本のアンカーボルトを立設するとともに、それらのアンカーボルトの上部に添プレートを配設し、前記定着フレームを支持用フレームの縦部材を介して支持するように構成したことを特徴とする柱脚用アンカー装置。
【発明の詳細な説明】
【０００１】
【発明の属する技術分野】
本発明は、鉄骨造ないし鉄骨鉄筋コンクリート造の柱脚構造に関する。より詳しくは、それらの柱脚部を基礎コンクリートに対して定着支持するための柱脚用アンカー装置に関する。
【０００２】
【従来の技術】
この種の柱脚用アンカー装置としては、例えば下端部にフック部を形成したＪ形のアンカーボルトや下端部に定着板を付設したアンカーボルトを基礎コンクリート中に埋設して定着させ、それらのアンカーボルトに柱脚側のベースプレートを固定するという形態のものが従来から慣用されている（特開平５−２５８３２号公報）。また、上部及び下部形板の間に定着板を下端部に備えたアンカーボルトを設置してアンカーボルトフレームを形成し、捨コン上に設置した支持用のアンカーフレーム上に固定する形態のものも知られている（特開平１−１４６０２６号公報）。
【０００３】
ところで、アンカー装置における定着耐力の大きさは、それぞれのアンカーボルトを介して作用する軸方向の引張力に対する耐力のほかに、定着部が各アンカーボルト相互間を連結した形のものの場合には、その定着部自体の剛性も関係してくる。すなわち、あるアンカーボルトに引張力が作用した場合に、他方のアンカーボルト間に位置する定着部自体に作用する曲げモーメントに対する剛性の大きさも定着耐力の大きさに影響する。しかしながら、従来のアンカーボルトの定着部に関しては、アンカーボルトの軸方向の引張力に対する耐力に関しては充分な考慮がなされているものの、後者の定着部自体の剛性に基づく定着耐力の向上に関しては必ずしも充分な考慮がなされているとはいえなかった。因みに、前述の前者の従来技術では各アンカーボルトに付設された定着部はそれぞれ独立していることから以上の観点からの定着耐力の向上の余地はない。また、後者の従来技術においても、下部形板や支持用のフレームの剛性に基づく定着耐力の効果的な向上という観点では特段の考慮がなされていなかった。
【０００４】
【発明が解決しようとする課題】
本発明は、以上のような観点から、各アンカーボルトの定着部を連結した形に構成するとともに、その定着部自体の剛性のより効果的な増大を図り、アンカー装置としての定着耐力を効果的に向上し得るアンカー装置を提供することを目的とするものである。
【０００５】
【課題を解決するための手段】
本発明は、前記課題を解決するため、水平部と垂直部を有する断面形状からなるフレーム部の少なくとも隣接する垂直部同士を一体的に連結して矩形枠状の内方が空間部からなる定着フレームを形成し、その定着フレームに対して複数本のアンカーボルトを立設するとともに、それらのアンカーボルトの上部に添プレートを配設し、前記定着フレームを支持用フレームの縦部材を介して支持することにより柱脚用アンカー装置を設置するという技術手段を採用した。以上のように、前記定着フレームは、隣接するフレーム部の垂直部同士を一体的に連結することにより矩形枠状に形成され、しかもアンカーボルトに作用する引張力に基づいて前記定着フレームに作用する曲げモーメントは前記垂直部の面に沿って作用することから、その曲げモーメントに対する剛性をより効果的に向上することができる。したがって、前記水平部による引抜き抵抗力と相俟ってアンカー装置としての定着耐力の効果的な向上が可能である。
【０００６】
【発明の実施の形態】
本発明は、以上のように水平部と垂直部を有する断面形状からなるフレーム部の少なくとも隣接する垂直部同士を一体的に連結することにより矩形枠状の定着フレームを形成するものであれば、アンカーボルトを介して作用する引張力に基づく曲げモーメントは前述のようにその一体的に連結された前記垂直部に沿って作用することから、その曲げモーメントに対する剛性をより効果的に向上することができる。なお、各垂直部同士の連結の仕方に関しては、初めから一体的に形成するものでも、後から溶接等により一体化するものでもよい。垂直部は一列からなるものでも、垂直部を平行に対向させて２重に配設し、それらの垂直部相互間にアンカーボルトを設置するように構成したものでよい。また、前記定着フレームを上下方向に複数段配設して定着耐力を増やすことも可能である。また、アンカーボルトの設置数に関しては特に限定されない。
【０００７】
【実施例】
以下、図面を用いて本発明の実施例に関して説明する。図１は本発明の一実施例の組立状態を示した斜視図であり、図２はその組立途中の状態を示した斜視図である。図中、１は本発明に係る柱脚用アンカー装置で、本アンカー装置１は、下方の定着フレーム２と、該定着フレーム２に対して上下からナットにより固着して立設した、本実施例では８本からなるアンカーボルト３と、該アンカーボルト３の上部に配設された添プレート４から構成されている。そして、アンカー装置１は、捨コン上の所定位置に設置された支持用フレーム５を介して水平状態を出しながら所定高さに設置され、しかる後、公知のように基礎コンクリートを打設してアンカー装置１を埋設し、その固化後、基礎コンクリート上に露出したアンカーボルト３の頭部にベースプレートを介して柱脚部を固着することになる。なお、ベースプレートの固着に際しては、添プレート４を残したまま固着するものでも、取外して固着するものでもよい。また、添プレート４を基礎コンクリート中に埋設するように構成することも可能である。
【０００８】
本実施例において、前記アンカー装置１を組立てる場合には、先ず、図２に示したように、捨コン上の所定位置にＬ形鋼等からなる横部材６を適宜の固定手段を用いて略矩形状に並べた状態に固定し、その内側の四隅に縦部材７を立設することにより前記支持用フレーム５を形成し、しかる後、その縦部材７に対して溶接等により前記定着フレーム２を水平状態を出しながら所定高さに固着するという手法を採用している。なお、支持用フレーム５の縦部材７は、図１のように定着フレーム２をその下部や外側から支持するように設置してもよい。
【０００９】
図３は定着フレーム２を示した平面図、図４はそのＡ−Ａ断面を示した部分拡大図である。本実施例における定着フレーム２は、図３に示したように、内側のフレーム部８〜１１と外側のフレーム部１２〜１５とから２重に形成されている。それらの内外の各フレーム部８〜１５は、図４に示したように、それぞれ水平部１６，１７と垂直部１８，１９とからなるＬ形の断面形状に形成されている。そして、図３に示したように、それら内外のフレーム部８〜１５の少なくとも隣接する垂直部１８，１９同士、すなわち各隅部は、溶接等により一体的に連結され、矩形枠状からなる定着フレーム２を形成している。なお、内側のフレーム部８〜１１と外側のフレーム部１２〜１５との間のアンカーボルト３の設置位置には座金２０が溶接され、その座金２０を介して両者を所定間隔に結合している。
【００１０】
しかして、図３の状態に形成された定着フレーム２は、前述の図２に示したように、捨コン上の所定位置に設置された支持用フレーム５の縦部材７に対して内側のフレーム部８〜１１を介して溶接等により所定高さに固着される。しかる後、各座金２０の挿通孔２１にアンカーボルト３の下端部を挿通して上下からナット２２，２３により締付固定する。これと前後して、各アンカーボルト３の上端部にも添プレート４を配設するため、それらのアンカーボルト３の上端部を前記添プレート４に形成した挿通孔に挿通して上下からナット２４，２５により締付固定する。これにより、各アンカーボルト３が所定位置に的確に立設されるとともに、それらのアンカーボルト３自体を支柱としてアンカー装置１が形成されることになる。なお、以上の手順に替えて、予め定着フレーム２に対して各アンカーボルト３を所定位置に立設して、それらのアンカーボルト３の上端部に添プレート４を挿通固定してアンカー装置１を形成した後、そのアンカー装置１を前記支持用フレーム５側に移動して縦部材７の所定位置に固定するという手順も可能である。しかる後、前述のように、基礎コンクリートを打設して、その固化後に上方に露出するアンカーボルト３の頭部に対してベースプレートを介して公知の手順により柱脚部側を固定することになる。
【００１１】
図５は定着フレームに関する他の実施例を例示したものである。図５の実施例は、水平部２６，２７及び垂直部２８，２９からなる逆Ｔ形のフレーム部３０，３１を用いて、図示のように前記垂直部２８，２９を平行に対向させることにより２重構造からなる定着フレーム３２を形成したものである。
【００１２】
図６は本発明の他の実施例の設置状態を示した設置状態図である。本実施例は、前述の図１の実施例と同様の構成部分には同じ符号を付して説明すると、定着フレーム２と同様の構成からなる定着フレーム３３を追加して二段構造に構成した点で特徴を有するものである。すなわち、追加用の定着フレーム３３を連結部材３４を介して定着フレーム２と一体的に構成し、これを支持用フレーム５を介して支持したものである。これにより、アンカーボルト３には、定着フレーム２の定着力と定着フレーム３３の定着力が作用するので、定着耐力が倍加されることになる。なお、追加用の定着フレーム３３は、支持用フレーム５を構成する縦部材７の途中に一体的に固着するように構成することも可能である。この場合にも、定着フレーム２による直接的な定着力と、支持用フレーム５を介した定着フレーム３３の定着力により、同様の定着耐力の増大が可能である。
【００１３】
以上のように、本発明においては、定着フレーム２を構成するフレーム部の少なくとも垂直部同士を一体的に連結したので、例えば図６に示したようにアンカーボルト３に対して引張力Ｆが作用し、その結果、他方のアンカーボルト３と定着フレーム２との結合部を中心とする曲げモーメントＭが、両アンカーボルト３相互間のフレーム部に作用した場合には、それらのフレーム部の垂直部に沿って曲げモーメントＭが作用することになる。したがって、前記垂直部の厚さや高さ方向の幅を選定することにより、定着フレーム２自体の曲げモーメントＭに対する剛性を大きくとることはきわめて簡単である。そして、その曲げモーメントＭに対する剛性が大きくなれば、当然アンカー装置１としての定着耐力も増大されることになる。したがって、本発明によれば、定着フレーム２を構成するフレーム部の水平部による引抜き抵抗力と垂直部による曲げモーメントに対する剛性とが相俟って、アンカー装置１としての定着耐力を簡単な構成によって確実かつ効果的に向上することができる。なお、図中、３５は捨コン、３６は基礎コンクリート、３７は柱、３８はベースプレート、３９はグラウト材である。
【００１４】
【発明の効果】
本発明によれば、上述のように水平部と垂直部とからなる断面形状を有するフレーム部の少なくとも隣接する垂直部同士を一体的に連結することによって、垂直方向の剛性の大きい矩形枠状の定着フレームが形成され、しかもアンカーボルトを介して作用する引張力に基づく曲げモーメントはフレーム部の垂直部に沿って作用することから、その曲げモーメントに対する剛性がより効果的に向上されるので、同フレーム部の水平部による引抜き抵抗力と相俟って、アンカー装置としての定着耐力を効果的に向上することができる。したがって、アンカー装置としての高さの縮小化を図ることも可能である。さらに、前記定着フレームを支持用フレームの縦部材を介して支持するように構成したので、定着フレームの支持高さの設定が容易であるとともに、定着フレームの内方の空間部と相俟って打設コンクリートのフレーム内方への流動性が良好なことから、前述の定着耐力が向上された柱脚用アンカー装置を簡便かつより的確に設置することができる。
【図面の簡単な説明】
【図１】  本発明の実施例の組立状態を示した斜視図である。
【図２】  同実施例の組立途中の状態を示した斜視図である。
【図３】  同実施例の定着フレームを示した平面図である。
【図４】  図３中のＡ−Ａ断面を示した部分拡大図である。
【図５】  定着フレームに関する他の実施例を示した部分拡大図である。
【図６】  本発明の他の実施例の設置状態を示した設置状態図である。
【符号の説明】
１…柱脚用アンカー装置、２…定着フレーム、３…アンカーボルト、４…添プレート、５…支持用フレーム、６…横部材、７…縦部材、８〜１５…フレーム部、１６，１７…水平部、１８，１９…垂直部、２０…座金、２１…挿通孔、２２〜２５…ナット、２６，２７…水平部、２８，２９…垂直部、３０，３１…フレーム部、３２…定着フレーム、３３…定着フレーム、３４…連結部材、３５…捨コン、３６…基礎コンクリート、３７…柱、３８…ベースプレート、３９…グラウト材
【図１】
0003973293.tif 000002
【図２】
0003973293.tif 000003
【図３】
0003973293.tif 000004
【図４】
0003973293.tif 000005
【図５】
0003973293.tif 000006
【図６】
0003973293.tif 000007